(57)【要約】【課題】電池の幅を狭くしても製造可能な非水電解質二次電池の構成を得る。【解決手段】非水電解質二次電池１は、正極電極および負極電極を含む電極体と、電極体の厚さ方向において電極体を挟んで対向して配置され、互いに接合されて電極体を収容する第１部材１１および第２部材１２を含む外装缶１０と、外装缶１０と絶縁され、外装缶１０の極性と反対の極性を有する端子１４と、正極電極および負極電極の一方と接続され、電極体から第一方向に沿って引き出され、端子１４と電気的に導通する第１リードタブとを備える。第１部材１１は、第１平面部１１１１と、第１平面部１１１１よりも第２部材１２側に配置される第２平面部１１１２とを含む。端子１４は、第２平面部１１１２に配置される。正極電極および負極電極の他方は、平面視において第２平面部１１１２と重ならない部分で外装缶１０と電気的に導通する。【選択図】図１
2016035828.tif 000002
【特許請求の範囲】
【請求項１】
正極電極および負極電極を含む電極体と、
前記電極体の厚さ方向において前記電極体を挟んで対向して配置され、互いに接合されて前記電極体を収容する第１部材および第２部材を含む外装缶と、
前記外装缶と絶縁され、前記外装缶の極性と反対の極性を有する端子と、
前記正極電極および前記負極電極の一方と接続され、前記電極体から第一方向に沿って引き出され、前記端子と電気的に導通する第１リードタブとを備え、
前記第１部材は、第１平面部と、前記第１平面部よりも前記第２部材側に配置される第２平面部とを含み、
前記端子は、前記第２平面部に配置され、
前記正極電極および前記負極電極の他方は、平面視において前記第２平面部と重ならない部分で前記外装缶と電気的に導通する、非水電解質二次電池。
【請求項２】
前記正極電極および前記負極電極の他方と接続され、前記電極体から前記第一方向と反対方向に沿って引き出され、前記外装缶と電気的に導通する第２リードタブをさらに備える、請求項１に記載の非水電解質二次電池。
【請求項３】
前記電極体の最外周は、前記正極電極および前記負極電極の他方である、請求項１に記載の非水電解質二次電池。
【請求項４】
前記第２平面部と対向する部分に、前記第２部材を厚さ方向に貫通する注液孔が形成されている、請求項１〜３のいずれか一項に記載の非水電解質二次電池。
【請求項５】
前記第１方向と反対方向における端部に、前記第１部材または前記第２部材を厚さ方向に貫通する注液孔が形成されている、請求項１〜３のいずれか一項に記載の非水電解質二次電池。
【発明の詳細な説明】
【技術分野】
【０００１】
本発明は、非水電解質二次電池に関する。
【背景技術】
【０００２】
従来、正極と負極とを含む電極体を外装缶に収容した非水電解質二次電池の構成が知られている。近年、薄型の携帯機器の普及に伴って、薄型の電池の需要が高まっている。
【０００３】
特許第３８８５３２７号公報には、電池缶内に電極素子と非水電解液とを備える非水電解液二次電池において、上記電池缶の最大開口部が、端子を有する電池蓋により密封されてなることを特徴とする非水電解液二次電池が開示されている。
【０００４】
特許第４１９１４３３号公報には、金属板を加工して凹部の開口周囲にフランジを設けた半殻体に電池ケースが形成され、凹部内に極板群を収容してフランジに周辺部を重ね合わせて配設された金属製の蓋板とフランジとの間がシーム溶接により接合されてなる電池が開示されている。
【先行技術文献】
【特許文献】
【０００５】
【特許文献１】特許第３８８５３２７号公報
【特許文献２】特許第４１９１４３３号公報
【発明の概要】
【発明が解決しようとする課題】
【０００６】
上記特許文献に記載された非水電解質二次電池では、電極体の電極と端子とを接続するための空間を、外装缶の内部に設ける必要がある。一方、電池の幅を狭くしていくと、外装缶の内部で電極を接続する領域を確保することが難しくなる。
【０００７】
本発明の目的は、電池の幅を狭くしても製造可能な非水電解質二次電池の構成を得ることである。
【課題を解決するための手段】
【０００８】
ここに開示する非水電解質二次電池は、正極電極および負極電極を含む電極体と、電極体の厚さ方向において電極体を挟んで対向して配置され、互いに接合されて電極体を収容する第１部材および第２部材を含む外装缶と、外装缶と絶縁され、外装缶の極性と反対の極性を有する端子と、正極電極および負極電極の一方と接続され、電極体から第一方向に沿って引き出され、端子と電気的に導通する第１リードタブとを備える。第１部材は、第１平面部と、第１平面部よりも第２部材側に配置される第２平面部とを含む。端子は、第２平面部に配置され、正極電極および負極電極の他方は、平面視において第２平面部と重ならない部分で外装缶と電気的に導通する。
【発明の効果】
【０００９】
本発明によれば、電池の幅を狭くしても製造可能な非水電解質二次電池の構成が得られる。
【図面の簡単な説明】
【００１０】
【図１】図１は、本発明の第１の実施形態にかかる非水電解質二次電池の概略構成を示す斜視図である。
【図２】図２は、本発明の第１の実施形態にかかる非水電解質二次電池の内部構成を模式的に示す分解斜視図である。
【図３】図３は、非水電解質二次電池の構成から、負極端子の周辺の構成を抜き出して示す分解斜視図である。
【図４】図４は、図１のＩＶ−ＩＶ線に沿った断面図である。
【図５】図５は、図４のＶ−Ｖ線に沿った断面図である。
【図６】図６は、正極リードタブが第２部材と接続されている場合の構成を模式的に示す斜視図である。
【図７】図７は、図６のＶＩＩ−ＶＩＩ線に沿った断面図である。
【図８】図８は、正極リードタブが第１部材の平面部と接続されている場合の構成を模式的に示す断面図である。
【図９】図９は、正極リードタブが第１部材の周壁部と接続されている場合の構成を模式的に示す断面図である。
【図１０】図１０は、正極リードタブと外装缶との接続方法を模式的に示す図である。
【図１１】図１１は、正極リードタブと外装缶との接続方法を模式的に示す図である。
【図１２】図１２は、本発明の効果を説明するための仮想的な比較例にかかる非水電解質二次電池の模式図である。
【図１３】図１３は、本発明の第２の実施形態にかかる非水電解質二次電池の内部構成を示す分解斜視図である。
【図１４】図１４は、本発明の第３の実施形態にかかる非水電解質二次電池の内部構成を示す分解斜視図である。
【図１５】図１５は、本発明の第４の実施形態にかかる非水電解質二次電池の概略構成を示す斜視図である。
【図１６】図１６は、本発明の第４の実施形態にかかる非水電解質二次電池の内部構成を模式的に示す分解斜視図である。
【図１７】図１７は、図１５のＸＶＩＩ−ＸＶＩＩ線に沿った断面図である。
【図１８】図１８は、図１５のＸＶＩＩＩ−ＸＶＩＩＩ線に沿った断面図である。
【図１９】図１９は、本発明の第５の実施形態にかかる非水電解質二次電池の概略構成を示す斜視図である。
【図２０】図２０は、本発明の第５の実施形態にかかる非水電解質二次電池の内部構成を模式的に示す分解斜視図である。
【図２１】図２１は、本発明の第６の実施形態にかかる非水電解質二次電池の概略構成を示す斜視図である。
【図２２】図２２は、本発明の第６の実施形態にかかる非水電解質二次電池の内部構成を模式的に示す分解斜視図である。
【図２３】図２３は、本発明の第７の実施形態にかかる非水電解質二次電池の概略構成を示す斜視図である。
【図２４】図２４は、本発明の第７の実施形態にかかる非水電解質二次電池の内部構成を模式的に示す分解斜視図である。
【発明を実施するための形態】
【００１１】
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１２】
［第１の実施形態］
図１は、本発明の第１の実施形態にかかる非水電解質二次電池１の概略構成を示す斜視図である。図２は、非水電解質二次電池１の内部構成を模式的に示す分解斜視図である。非水電解質二次電池１は、外装缶１０、封止栓１３、負極端子（端子）１４、ガスケット１４１、絶縁板１４２（図２）、押さえ板１４３（図２）、電極体１５（図２）、および図示しない電解液を備えている。
【００１３】
ここで説明の便宜のため、外装缶１０の外形に沿って、図１に示すようにｘ方向、ｙ方向、ｚ方向を定める。以下では、ｘ方向を幅方向、ｙ方向を厚さ方向、ｚ方向を高さ方向と呼ぶ場合がある。非水電解質二次電池１は、厚さ方向の寸法が幅方向および高さ方向の寸法よりも小さい、扁平形状の電池である。
【００１４】
外装缶１０は、図２に示すように、内部に電極体１５を収容している。外装缶１０は、厚さ方向の一方に開口した箱状の第１部材１１と、平板状の第２部材１２とから構成されている。第１部材１１と第２部材１２とは、電極体１５の厚さ方向において、電極体１５を挟んで対向して配置される。第２部材１２は、第１部材１１の開口を封口する。第１部材１１と第２部材１２とは、例えばシーム溶接によって接合される。
【００１５】
第１部材１１および第２部材１２は、例えば、アルミニウムまたはアルミニウム合金によって形成されている。
【００１６】
図１に示すように、第１部材１１は、概略平板状の平面部１１１と、平面部１１１の周囲を囲んで形成される周壁部１１２とを含んでいる。平面部１１１はさらに、平面部（第１平面部）１１１１と、平面部１１１１よりも第２部材１２側に配置され、平面部１１１１と平行に形成された平面部（第２平面部）１１１２とを含んでいる。
【００１７】
封止栓１３は、平面部１１１２に配置されている。図２に示すように、平面部１１１２には、第１部材１１を厚さ方向に貫通する注液孔１１１２ｂが形成されている。封止栓１３は、注液孔１１１２ｂを封止している。
【００１８】
負極端子１４は、平面部１１１２に配置されている。図２に示すように、平面部１１１２には、第１部材１１を厚さ方向に貫通する貫通孔１１１２ａが形成されている。負極端子１４は、ガスケット１４１を間に挟んで貫通孔１１１２ａに挿入され、さらに絶縁板１４２を介して押さえ板１４３に固定されている。この部分の詳しい構成は後述する。
【００１９】
負極端子１４は例えば、銅またはニッケルメッキされた銅によって形成されている。ガスケット１４１、および絶縁板１４２は例えば、樹脂の成形品である。押さえ板１４３は例えば、銅によって形成されている。
【００２０】
電極体１５は、帯状の正極電極と、帯状の負極電極とを、セパレータを間に挟んで捲回し、厚さ方向に圧縮して扁平形状にしたものである。
【００２１】
正極電極、負極電極、セパレータ、および電解液は特に限定されないが、例示すれば次の様なものである。
【００２２】
正極電極は、帯状の正極集電体の片面または両面に正極合剤層が形成されたものである。正極集電体は、例えば、アルミニウムまたはチタン等の箔、平織金網、エキスパンドメタル、ラス網、またはパンチングメタル等によって形成される。
【００２３】
正極合剤層は、正極活物質と、導電助剤と、バインダとを混合して形成される。正極活物質として、マンガン酸リチウム、リチウムニッケル複合酸化物、リチウムコバルト複合酸化物、リチウムニッケルコバルト複合酸化物、酸化バナジウム、または酸化モリブデン等を用いることができる。導電助剤として、黒鉛、カーボンブラック、またはアセチレンブラック等を用いることができる。バインダとして、ポリイミド、ポリアミドイミド、ポリテトラフルオロエチレン（ＰＴＦＥ）、およびポリフッ化ビニリデン（ＰＶＤＦ）等を、単独または混合して用いることができる。
【００２４】
負極電極は、帯状の負極集電体の片面または両面に負極合剤層が形成されたものである。負極集電体は、例えば、銅、ニッケル、またはステンレス等の箔、平織金網、エキスパンドメタル、ラス網、またはパンチングメタル等によって形成される。
【００２５】
負極合剤層は、負極活物質と、バインダとを混合して形成される。負極活物質として、天然黒鉛、メソフェーズカーボン、または非晶質カーボン等を用いることができる。バインダとして、カルボキシメチルセルロース（ＣＭＣ）およびヒドロキシプロピルセルロース（ＨＰＣ）等のセルロース、スチレンブタジエンゴム（ＳＢＲ）、アクリルゴム等のゴムバインダ、ＰＴＦＥ、ならびにＰＶＤＦ等を、単独または混合して用いることができる。
【００２６】
セパレータは、例えばポリプロピレン（ＰＰ）、ポリエチレン（ＰＥ）、ポリエチレンテレフタレート（ＰＥＴ）、ポリブチレンテレフタレート（ＰＢＴ）、またはポリフェニルサルフィド（ＰＰＳ）等の、多孔性フィルムまたは不織布によって形成される。
【００２７】
電解液は、有機溶媒にリチウム塩を溶解させた溶液である。有機溶媒として、ビニレンカーボネート（ＶＣ）、プロピレンカーボネート（ＰＣ）、エチレンカーボネート（ＥＣ）、ブチレンカーボネート（ＢＣ）、ジメチルカーボネート（ＤＭＣ）、ジエチルカーボネート（ＤＥＣ）、メチルエチルカーボネート（ＭＥＣ）、またはγ‐ブチロラクトン等を、単独でまたは２種類以上を混合して用いることができる。リチウム塩として、ＬｉＰＦ６、ＬｉＢＦ４、またはＬｉＮ（ＣＦ３ＳＯ２）２等を用いることができる。
【００２８】
電極体１５からは、負極リードタブ（第１リードタブ）１５１および正極リードタブ（第２リードタブ）１５２が引き出されている。負極リードタブ１５１と正極リードタブ１５２とは、互いに反対方向に引き出されている。より具体的には、負極リードタブ１５１はｚ方向プラス側に向かって引き出され、正極リードタブ１５２はｚ方向マイナス側に向かって引き出されている。
【００２９】
以下に説明するように、負極リードタブ１５１は負極端子１４と電気的に導通しており、正極リードタブ１５２は外装缶１０と電気的に導通している。すなわち、負極端子１４と外装缶１０とは、互いに反対の極性を有している。
【００３０】
図３および図４を参照して、負極端子１４の周辺の構成を詳しく説明する。図３は、非水電解質二次電池１の構成から、負極端子１４の周辺の構成を抜き出して示す分解斜視図である。図４は、図１のＩＶ−ＩＶ線に沿った断面図である。
【００３１】
負極端子１４は、平面部１４Ａと、平面部１４Ａの一方の面から厚さ方向に突出するように形成されたボス部１４Ｂとを含んでいる。
【００３２】
ガスケット１４１は、平面部１４１１と、平面部１４１１の一方の面から厚さ方向に突出するように形成された筒状部１４１２とを含んでいる。ガスケット１４１には、平面部１４１１および筒状部１４１２を厚さ方向に貫通する貫通孔１４１ａが形成されている。
【００３３】
貫通孔１４１ａには、負極端子１４のボス部１４Ｂが挿入される。筒状部１４１２は、第１部材１１の貫通孔１１１２ａに挿入される。この構成によって、負極端子１４と第１部材１１とが、ガスケット１４１によって電気的に絶縁される。
【００３４】
筒状部１４１２と第１部材１１の貫通孔１１１２ａとのはめあい公差は、しまりばめである。すなわち、筒状部１４１２の外径は貫通孔１１１２ａの口径よりも大きく、筒状部１４１２は貫通孔１１１２ａに圧入される。同様に、負極端子１４のボス部１４Ｂとガスケット１４１の貫通孔１４１ａとのはめあい公差も、しまりばめである。したがって、第１部材１１の貫通孔１１１ａは、負極端子１４およびガスケット１４１を挿入することによって密閉される。
【００３５】
絶縁板１４２は、平面部１４２１と、平面部１４２１の端辺の一つに連続し、第１部材１１側へ延出する延出部１４２２と、延出部１４２２と反対側の面に形成されたリブ１４２３とを含んでいる。
【００３６】
平面部１４２１には、平面部１４２１を厚さ方向に貫通する貫通孔１４２１ａが形成されている。貫通孔１４２１ａには、ガスケット１４１の筒状部１４１２が挿入される。この構成によって、絶縁板１４２の面内位置が規制される。
【００３７】
押さえ板１４３は、絶縁板１４２の平面部１４２１の、リブ１４２３で囲まれた部分に重なるように配置される。押さえ板１４３の面内位置は、絶縁板１４２のリブ１４２３によって規制される。
【００３８】
押さえ板１４３には、押さえ板１４３を厚さ方向に貫通する貫通孔１４３ａが形成されている。貫通孔１４３ａは、押さえ板１４３と絶縁板１４２とを重ねたときに、絶縁板１４２の貫通孔１４２１ａと同軸になるように形成されている。
【００３９】
貫通孔１４３ａには、負極端子１４のボス部１４Ｂの先端が挿入される。ボス部１４Ｂの先端を貫通孔１４３ａに挿入した状態でボス部１４Ｂの先端をかしめることによって、負極端子１４と押さえ板１４３とが締結される。これによって、負極端子１４、押さえ板１４３、ガスケット１４１、および絶縁板１４２が、第１部材１１に固定される。
【００４０】
図４に示すように、負極リードタブ１５１は、押さえ板１４３に接続される。この構成によって、負極電極と負極端子１４とが、負極リードタブ１５１および押さえ板１４３を介して電気的に導通する。
【００４１】
図５は、図４のＶ−Ｖ線に沿った断面図である。図５に示すように、絶縁板１４２は、第１部材１１と負極リードタブ１５１との間において、第１部材１１の段差に沿うように配置されている。すなわち、絶縁板１４２の平面部１４２１は、厚さ方向（ｙ方向）において第２平面部１１１２と負極リードタブ１５１との間に配置され、絶縁板１４２の延出部１４２２は、第１平面部１１１１側に突出している。この構成によれば、負極リードタブ１５１と第１部材１１とが接触することを防止することができる。
【００４２】
好ましくは、平面部１１１２と第２部材１２との間隔（平面部１１１２における外装缶１０の内寸）ｔａは、電極体１５の厚さ方向の寸法ｔｂよりも小さい。この構成によれば、電極体１５が負極端子１４等が形成された領域へ移動するのを防止することができる。
【００４３】
［正極リードタブ１５２と外装缶１０との接続］
正極リードタブ１５２は、外装缶１０と接続されている。正極リードタブ１５２と外装缶１０とは例えば、抵抗溶接によって接続される。正極リードタブ１５２は、第１部材１１および第２部材１２のどちらに接続されていても良い。
【００４４】
図６は、正極リードタブ１５２が第２部材１２と接続されている場合の構成を模式的に示す斜視図である。図７は、図６のＶＩＩ−ＶＩＩ線に沿った断面図である。この例では、正極リードタブ１５２は、一旦ｙ方向プラス側に折り曲げられた後、ｚ方向プラス側に折り曲げられている。図７では正極リードタブ１５２が第１部材１１と接しないように図示しているが、正極リードタブ１５２は第１部材１１と接していても良い。
【００４５】
図８は、正極リードタブ１５２が第１部材１１の平面部１１１１と接続されている場合の構成を模式的に示す断面図である。この例では、正極リードタブ１５２は、一旦ｙ方向マイナス側に折り曲げられた後、ｚ方向プラス側に折り曲げられている。図８では正極リードタブ１５２が周壁部１１２と接しないように図示しているが、正極リードタブ１５２は周壁部１１２と接していても良い。
【００４６】
図９は、正極リードタブ１５２が第１部材１１の周壁部１１２と接続されている場合の構成を模式的に示す断面図である。この例では、正極リードタブ１５２は、一旦ｙ方向プラス側に折り曲げられた後、ｙ方向マイナス側に折り曲げられている。正極リードタブ１５２が割れないように、図９に示すようにＲをつけて折り曲げることが好ましい。正極リードタブ１５２は、一旦ｙ方向マイナス側に折り曲げられた後、ｙ方向プラス側に折り曲げられていても良い。図９では正極リードタブ１５２が平面部１１１１および第２部材１２と接しないように図示しているが、正極リードタブ１５２は平面部１１１１または第２部材１２と接していても良い。
【００４７】
図９の配置の場合、図７および図８の配置と比較して、正極リードタブ１５２の厚さの分だけ外装缶１０の厚さ（ｙ方向の寸法）を薄くすることができる。一方、図７および図８の配置の場合、図９の配置と比較して、電極体１５のｚ方向の寸法を大きくできるため、非水電解質二次電池１の容量を大きくすることができる。
【００４８】
［非水電解質二次電池１の製造方法］
以下、非水電解質二次電池１の製造方法の一例を説明する。
【００４９】
まず、電極体１５を準備する。電極体１５の製造方法は特に限定されないが、例示すれば次の様なものである。
【００５０】
正極活物質、導電助剤、およびバインダを、純水または有機溶媒中で十分に混合し、分散体を作製する。分散体を、ダイコータ、スリットコータ、ディップコータ等を用いて、正極集電体の片面または両面に塗布する。塗布後、スラリーを乾燥し、カレンダ処理によって厚さおよび密度を調整する。これによって、正極電極が得られる。正極電極に、溶接または導電性接着材によって正極リードタブ１５２を取り付ける。
【００５１】
負極活物質、およびバインダを、純水または有機溶媒中で十分に混合し、分散体を作製する。分散体を、ダイコータ、スリットコータ、ディップコータ等を用いて、負極集電体の片面または両面に塗布する。塗布後、スラリーを乾燥し、カレンダ処理によって厚さおよび密度を調整する。これによって、負極電極が得られる。負極電極に、溶接または導電性接着材によって負極リードタブ１５１を取り付ける。
【００５２】
正極電極、負極電極、およびセパレータを、断面形状が円形、楕円形、または菱形の巻き芯を用いて捲回した後、巻き芯を抜き、一方向に圧力をかけて偏平形状にする。あるいは、正極電極、負極電極、およびセパレータを、断面形状が扁平形状の巻き芯を用いて捲回して、扁平形状の捲回体としても良い。これによって、電極体１５が得られる。
【００５３】
次に、第１部材１１、第２部材１２、封止栓１３、負極端子１４、ガスケット１４１、絶縁板１４２、および押さえ板１４３を準備する。負極端子１４、ガスケット１４１、絶縁板１４２、および押さえ板１４３を、第１部材１１に組み付ける。
【００５４】
次に、負極リードタブ１５１と押さえ板１４３とを接続し、正極リードタブ１５２と外装缶１０とを接続する。これらの接続は例えば、抵抗溶接によって行うことができる。
【００５５】
正極リードタブ１５２を第２部材１２に接続する場合、負極リードタブ１５１と正極リードタブ１５２とは、どちらを先に接続しても良い。図１０に示すように、正極リードタブ１５２を第１部材１１の外側に引き出した状態で、正極リードタブ１５２と第２部材１２とを接続すれば良い。
【００５６】
正極リードタブ１５２を第１部材１１に接続する場合、図１１に示すように、負極リードタブ１５１を押さえ板１４３に接続するよりも前に、正極リードタブ１５２を第１部材１１に接続しておくことが好ましい。正極リードタブ１５２を負極リードタブ１５１よりも先に接続することで、正極リードタブ１５２を接続する際の作業性を向上させることができる。
【００５７】
第１部材１１の開口を覆って第２部材１２を配置し、第１部材１１と第２部材１２とをシーム溶接する。
【００５８】
次に、注液孔１１１２ｂから電解液を注液する。注液孔１１１２ｂを開放したまま、必要に応じて予備充電を行う。その後、注液孔１１１２ｂに封止栓１３を圧入し、封止栓１３と第１部材１１とを溶接する。これによって、注液孔１１１２ｂが封止される。
【００５９】
その後、所定の容量まで充電することによって、非水電解質二次電池１が製造される。
【００６０】
［非水電解質二次電池１の効果］
本実施形態によれば、電極体１５の正極電極は外装缶１０と電気的に導通し、負極電極は負極端子１４と電気的に導通している。負極端子１４は、平面部１１１１よりも第２部材１２側に配置される平面部１１１２に配置される。この構成によれば、負極端子１４が平面部１１１１から突出しないようにできる。あるいは、負極端子１４が平面部１１１１から突出する量を少なくできる。
【００６１】
非水電解質二次電池１の幅方向の寸法、すなわちｘ方向の寸法を小さくすると、平面部１１１２の幅も小さくなる。電極体１５から正極リードタブ１５２を引き出して外装缶１０と接続する場合、正極リードタブ１５２が負極リードタブ１５１または負極端子１４と短絡しないようにする必要がある。負極端子１４の幅、負極リードタブ１５１の幅、および正極リードタブ１５２の幅を狭くすることには限界がある。そのため、非水電解質二次電池１の幅方向の寸法を小さくしていくと、電極体１５から同じ方向に正負極のリードタブを引き出すことが困難になる。
【００６２】
本実施形態によれば、正極電極は、平面視において平面部１１１２と重ならない部分で外装缶１０と電気的に導通する。より具体的には、正極リードタブ１５２を、負極リードタブ１５１と反対方向に引き出して外装缶１０に接触させる。これによって、非水電解質二次電池１の幅が狭い場合であっても、正極リードタブ１５２と外装缶１０との間の接触面積を確保することができる。
【００６３】
本実施形態によれば、外装缶１０は、厚さ方向の一方に開口した箱状の第１部材１１と、第１部材１１の開口を封口する第２部材１２とを含んでいる。この構成によれば、外装缶１０を高さ方向や幅方向に開口させる場合と比較して、開口を広くできる。そのため、電極体１５を収容させやすい。また、正極リードタブ１５２は開口の深さ方向（すなわち、電極体１５の厚さ方向）と交差する方向に引き出されているため、正極リードタブ１５２を第１部材１１または第２部材１２に容易に接続することができる。
【００６４】
図１２は、本発明の効果を説明するための仮想的な比較例にかかる非水電解質二次電池の模式図である。この非水電解質二次電池は、非水電解質二次電池１の外装缶１０に代えて、高さ方向の一方端が開口した外装缶９０を備えている。この場合、電極体１５を外装缶９０の開口から挿入した後、正極リードタブ１５２と外装缶９０とを接続することは困難である。
【００６５】
これに対し、本実施形態によれば、図１０および図１１に示すように、正極リードタブ１５２を第１部材１１または第２部材１２に容易に接続することができる。
【００６６】
［第２の実施形態］
図１３は、本発明の第２の実施形態にかかる非水電解質二次電池２の内部構成を示す分解斜視図である。非水電解質二次電池２は、非水電解質二次電池１の電極体１５に代えて、電極体２５を備えている。
【００６７】
電極体２５は、電極体１５と同様に、正極電極、負極電極、セパレータ、および負極リードタブ１５１を備えている。一方、電極体２５は、正極リードタブを備えていない。非水電解質二次電池２では、電極体２５の正極電極と外装缶１０とを、直接導通させている。すなわち、電極体１５ではセパレータが最外周に配置されているのに対し、電極体２５では、正極電極が最外周に配置されている。
【００６８】
非水電解質二次電池２は、非水電解質二次電池１と同様にして製造することができる。
【００６９】
本実施形態においても、正極電極は、平面視において平面部１１１２と重ならない部分で外装缶１０と電気的に導通する。より具体的には、電極体２５の最外周を正極電極にして、正極電極と外装缶１０とを接触させる。これによって、非水電解質二次電池２の幅が狭い場合であっても、正極電極と外装缶１０との間の接触面積を確保することができる。
【００７０】
電極体の最外周がセパレータである場合、セパレータの種類を選択することで、電極体と外装缶１０との間の摩擦係数を小さくすることができる。これに対し、電極体の最外周が正極電極である場合、電極体と外装缶１０との間の摩擦係数が大きくなる場合がある。そのため、電極体を外装缶１０に挿入することが困難になる場合がある。
【００７１】
本実施形態によれば、外装缶１０は、厚さ方向の一方に開口した箱状の第１部材１１と、第１部材１１の開口を封口する第２部材１２とを含んでいる。この構成によれば、外装缶１０を高さ方向や幅方向に開口させる場合と比較して、開口を広くできる。そのため、電極体２５と外装缶１０との間の摩擦係数が大きい場合でも、電極体２５を容易に収容することができる。
【００７２】
［第３の実施形態］
図１４は、本発明の第３の実施形態にかかる非水電解質二次電池３の内部構成を示す分解斜視図である。非水電解質二次電池３は、非水電解質二次電池１の外装缶１０に代えて、外装缶３０を備えている。
【００７３】
外装缶３０は、外装缶１０と同様に、厚さ方向の一方に開口した箱状の第１部材３１と、平板状の第２部材３２とから構成されている。外装缶３０では、第１部材３１ではなく第２部材３２に注液孔３２ａが形成されている点で、外装缶１０と異なっている。
【００７４】
第１部材３１は、第１部材１１と異なり、注液孔が形成されていない。第１部材３１の他の構成は、第１部材１１と同じである。第１部材３１も第１部材１１と同様に、平面部１１１１と、平面部１１１１よりも第２部材３２側に配置された平面部１１１２とを含んでいる。
【００７５】
第２部材３２には、平面部１１１２と対向する部分に、第２部材３２を貫通する注液孔３２ａが形成されている。
【００７６】
非水電解質二次電池３は、非水電解質二次電池１と同様にして製造することができる。
【００７７】
本実施形態によれば、第１の実施形態と比較して、負極端子１４と注液孔３２ａとを幅方向により近づけて配置することができる。そのため、非水電解質二次電池３の幅をより小さくすることができる。
【００７８】
［第４の実施形態］
図１５は、本発明の第４の実施形態にかかる非水電解質二次電池４の概略構成を示す斜視図である。図１６は、非水電解質二次電池４の内部構成を模式的に示す分解斜視図である。図１７は図１５のＸＶＩＩ−ＸＶＩＩ線に沿った断面図であり、図１８は図１５のＸＶＩＩＩ−ＸＶＩＩＩ線に沿った断面図である。より具体的には、図１７は端子１４のｘ方向の中心を通るｙｚ断面図であり、図１８は封止栓１３（図１６）のｘ方向の中心を通るｙｚ断面図である。非水電解質二次電池４は、非水電解質二次電池３と同様に、外装缶３０を備えている。非水電解質二次電池４は、非水電解質二次電池３と比較して、負極端子１４の周りの構成が異なっている。
【００７９】
非水電解質二次電池４は、非水電解質二次電池３の絶縁板１４２に代えて、絶縁板４４２を備えている。絶縁板４４２は、絶縁板１４２の延出部１４２２（図３）に相当する部分を有さない他は、絶縁板１４２と同様の構成を備えている。
【００８０】
非水電解質二次電池４と非水電解質二次電池３とはさらに、負極端子１４、ガスケット１４１、絶縁板４４２、および押さえ板１４３の配置の順番が異なっている。
【００８１】
非水電解質二次電池３（図１４）の場合には、絶縁板１４２および押さえ板１４３は外装缶３０の内側に配置される。また、負極端子１４およびガスケット１４１は外装缶３０の外側から貫通孔１１１２ａに挿入される。負極端子１４は、外装缶３０の内側でかしめられて押さえ板１４３に固定される。負極リードタブ１５１は、押さえ板１４３に接続される。
【００８２】
これに対し、非水電解質二次電池４（図１６、図１７）の場合には、絶縁板４４２および押さえ板１４３は外装缶３０の外側に配置される。また、負極端子１４およびガスケット１４１は外装缶３０の内側から貫通孔１１１２ａに挿入される。負極端子１４は、外装缶３０の外側でかしめられて押さえ板１４３に固定される。負極リードタブ１５１は、負極端子１４の平面部１４Ａに接続される。
【００８３】
非水電解質二次電池４は、非水電解質二次電池１と同様にして製造することができる。より具体的には、非水電解質二次電池１の製造方法から、負極端子１４、ガスケット１４１１、絶縁板４４２、および押さえ板１４３の組み付け方を変えれば良い。
【００８４】
本実施形態によれば、負極端子１４は、平面部１４Ａが外装缶３０の内側になるように配置される。そのため、平面視において貫通孔１１１２ａと重なる位置で、負極リードタブ１５１と負極端子と１４とを接続することができる。換言すれば、非水電解質二次電池３（図１４）の場合のように、負極リードタブ１５１の位置を、貫通孔１１１２ａからオフセットさせなくても良い。そのため、外装缶３０の内部スペースをより有効に利用できる。これによって、負極端子１４と注液孔３２ａとを幅方向により近づけて配置することができる。そのため、非水電解質二次電池４の幅をより小さくすることができる。
【００８５】
［第５の実施形態］
図１９は、本発明の第５の実施形態にかかる非水電解質二次電池５の概略構成を示す斜視図である。図２０は、非水電解質二次電池５の内部構成を模式的に示す分解斜視図である。非水電解質二次電池５は、非水電解質二次電池１の外装缶１０に代えて外装缶５０を備え、電極体１５に代えて電極体５５を備えている。非水電解質二次電池５はまた、図２０に示すように、上部絶縁部材５６１と、下部絶縁部材５６２とをさらに含んでいる。
【００８６】
外装缶５０は、外装缶１０と同様に、厚さ方向の一方に開口した箱状の第１部材５１と、平板状の第２部材５２とから構成されている。第１部材５１には、負極リードタブ１５１が引き出されている方向と反対側、すなわちｚ方向マイナス側方向における端部に、第１部材５１を厚さ方向に貫通する注液孔５１１２ｂが形成されている。第１部材５１の他の構成は、第１部材１１と同様である。第１部材５１も第１部材１１と同様に、平面部１１１１と、平面部１１１１よりも第２部材５２側に配置された平面部１１１２を含んでいる。
【００８７】
電極体５５は、図２０に示すように、ｚ方向の寸法が平面部１１１１のｚ方向の寸法よりも小さい。上部絶縁部材５６１および下部絶縁部材５６２は、外装缶５０の内部において電極体５５をｚ方向の両側から挟むように配置されている。上部絶縁部材５６１および下部絶縁部材５６２は、電極体５５のｚ方向の位置を規制する。この構成によって、外装缶５０の内部において、電極体５５のｚ方向マイナス側に隣接する部分に空間ができる。注液孔５１１２ｂは、この空間に連通するように形成されている。
【００８８】
非水電解質二次電池５は、非水電解質二次電池１と同様にして製造することができる。
【００８９】
本実施形態によれば、負極端子１４と注液孔５１１２ｂとは、高さ方向（ｚ方向）において離れた位置に形成されるため、幅方向（ｘ方向）の距離を近づけても、互いに干渉することがない。そのため、非水電解質二次電池５の幅をより小さくすることができる。
【００９０】
なお、本実施形態では注液孔５１１２ｂを第１部材５１に形成したが、注液孔を第２部材５２に形成しても良い。
【００９１】
［第６の実施形態］
図２１は、本発明の第６の実施形態にかかる非水電解質二次電池６の概略構成を示す斜視図である。図２２は、非水電解質二次電池６の内部構成を模式的に示す分解斜視図である。非水電解質二次電池６は、非水電解質二次電池１の外装缶１０に代えて、外装缶６０を備えている。
【００９２】
外装缶６０は、外装缶１０と同様に、電極体１５の厚さ方向において電極体１５を挟んで対向して配置される第１部材６１および第２部材６２から構成されている。本実施形態においても、第１部材６１と第２部材６２とは、例えばシーム溶接によって接合される。
【００９３】
一方、外装缶６０では、第２部材６２が厚さ方向の一方に開口した箱状の形状であり、第１部材６１が概略平板形状である。すなわち、第２部材６２は、概略平板形状の平面部６２１と、平面部６２１の周囲を囲んで形成される周壁部６２２とを含んでいる。なお、第１部材６１は、平面部６１１１と、平面部６１１１よりも第２部材６２側に配置され、平面部６１１１と平行に形成された平面部６１１２とを含んでいる。負極端子１４は、平面部６１１２に配置される。
【００９４】
非水電解質二次電池６は、非水電解質二次電池１と同様にして製造することができる。
【００９５】
本実施形態においても、電極体１５の正極電極は、平面視において平面部６１１２と重ならない部分で外装缶６０と電気的に導通する。より具体的には、正極リードタブ１５２を、負極リードタブ１５１と反対方向に引き出して外装缶６０に接触させる。これによって、正極リードタブ１５２と外装缶６０との間の接触面積を確保することができる。また、正極リードタブ１５２は第２部材６２の開口の深さ方向と交差する方向に引き出されているため、正極リードタブ１５２を第１部材６１または第２部材６２に容易に接続することができる。
【００９６】
［第７の実施形態］
図２３は、本発明の第７の実施形態にかかる非水電解質二次電池７の概略構成を示す斜視図である。図２４は、非水電解質二次電池７の内部構成を模式的に示す分解斜視図である。非水電解質二次電池７は、非水電解質二次電池１の外装缶１０に代えて、外装缶７０を備えている。
【００９７】
外装缶７０は、外装缶１０と同様に、電極体１５の厚さ方向において電極体１５を挟んで対向して配置される第１部材７１および第２部材７２から構成されている。本実施形態においても、第１部材７１と第２部材７２とは、例えばシーム溶接によって接合される。
【００９８】
一方、外装缶７０では、第１部材７１および第２部材７２の両方が厚さ方向の一方に開口した箱状の形状である。すなわち、第１部材７１は、平面部７１１と、平面部７１１の周囲を囲んで形成される周壁部７１２とを含んでいる。第２部材７２は、平面部７２１と、平面部７２１の周囲を囲んで形成される周壁部７２２とを含んでいる。本実施形態では、第１部材７１の周壁部７１２と第２部材７２の周壁部７２２の接合部が、外装缶７０の厚さ方向のほぼ中央部となる。
【００９９】
なお、平面部７１１は、平面部７１１１と、平面部７１１１よりも第２部材７２側に配置され、平面部７１１１と平行に形成された平面部７１１２とを含んでいる。負極端子１４は、平面部７１１２に配置される。
【０１００】
非水電解質二次電池７は、非水電解質二次電池１と同様にして製造することができる。
【０１０１】
本実施形態においても、電極体１５の正極電極は、平面視において平面部７１１２と重ならない部分で外装缶７０と電気的に導通する。より具体的には、正極リードタブ１５２を、負極リードタブ１５１と反対方向に引き出して外装缶７０に接触させる。これによって、正極リードタブ１５２と外装缶７０との間の接触面積を確保することができる。また、正極リードタブ１５２は第１部材７１および第２部材７２の開口の深さ方向と交差する方向に引き出されているため、正極リードタブ１５２を第１部材７１または第２部材７２に容易に接続することができる。
【０１０２】
［その他の実施形態］
以上、本発明についての実施形態を説明したが、本発明は上述の実施形態のみに限定されず、発明の範囲内で種々の変更が可能である。また、各実施形態は、適宜組み合わせて実施することが可能である。
【０１０３】
上述の実施形態では、外装缶に収納される電極体が、帯状の正極電極と負極電極とをセパレータを間に挟んで捲回した電極捲回体である場合を説明した。しかし、本実施形態の電極体は電極捲回体に限定されず、例えば、短冊状の正極電極と負極電極とをセパレータを間に挟んで積層した電極積層体であっても良い。
【０１０４】
上述の実施形態では、外装缶の極性が正極である場合を説明した。しかし、外装缶の極性は負極であっても良い。
【０１０５】
上述の実施形態によって例示したように、本発明の一実施形態にかかる非水電解質二次電池は、正極電極および負極電極を含む電極体と、電極体の厚さ方向において電極体を挟んで対向して配置され、互いに接合されて電極体を収容する第１部材および第２部材を含む外装缶と、外装缶と絶縁され、外装缶の極性と反対の極性を有する端子と、正極電極および負極電極の一方と接続され、電極体から第一方向に沿って引き出され、端子と電気的に導通する第１リードタブとを備える。第１部材は、第１平面部と、第１平面部よりも第２部材側に配置される第２平面部とを含む。端子は、第２平面部に配置される。正極電極および負極電極の他方は、平面視において第２平面部と重ならない部分で外装缶と電気的に導通する。
【０１０６】
上記の構成によれば、電極体の正負の電極の一方は外装缶と電気的に導通し、他方は端子と電気的に導通する。端子は、第１平面部よりも第２部材側に配置される第２平面部に配置される。この構成によれば、端子が第１平面部から突出しないようにできる。あるいは、端子が第１平面部から突出する量を少なくできる。
【０１０７】
非水電解質二次電池の幅を小さくすると、第２平面部の幅も小さくなる。電極体から別のリードタブを引き出して外装缶と接続する場合、第１リードタブまたは端子と、当該別のリードタブとが短絡しないようにする必要がある。端子の幅、およびリードタブの幅を狭くすることには限界がある。そのため、電池の幅方向の寸法を小さくしていくと、電極体から同じ方向に正負極のリードタブを引き出すことが困難になる。
【０１０８】
上記の構成によれば、正負の電極の他方は、平面視において第２平面部と重ならない部分で外装缶と電気的に導通する。これによって、非水電解質二次電池の幅を狭くした場合であっても、正極電極と外装缶との間の接触面積を確保することができる。
【０１０９】
上記の構成によれば、外装缶は、電極体の厚さ方向において電極体を挟んで対向して配置され、互いに接合されて電極体を収容する第１部材および第２部材を含む。この構成によれば、外装缶を高さ方向や幅方向に開口させる場合と比較して、第１部材または第２部材の開口を広くできる。そのため、電極体を収容させやすい。
【０１１０】
非水電解質二次電池は、正極電極および負極電極の他方と接続され、電極体から第一方向と反対方向に沿って引き出され、外装缶と電気的に導通する第２リードタブをさらに備える構成としても良い。
【０１１１】
上記の構成によれば、第１リードタブおよび第２リードタブが電極体から互いに反対方向に引き出されるので、非水電解質二次電池の幅が狭い場合であっても、それぞれの接続面積を確保できる。また、第２リードタブは第１部材または第２部材の開口の深さ方向（すなわち電極体の厚さ方向）と交差する方向に引き出されているため、第２リードタブを第１部材または第２部材に容易に接続することができる。
【０１１２】
電極体の最外周は、正極電極および負極電極の他方である構成としても良い。
【０１１３】
上記の構成によれば、電極体の最外周を他方の電極として外装缶と接触させることによって、当該他方の電極と外装缶とを電気的に導通させる。これによって、非水電解質二次電池の幅が狭い場合であっても、それぞれの接続面積を確保できる。上記の構成によれば、電極体の最外周を電極としたことによって外装缶との摩擦係数が大きくなった場合でも、第１部材または第２部材の開口を広くできるため、電極体を収容しやすい。
【０１１４】
第２平面部と対向する部分に、第２部材を厚さ方向に貫通する注液孔が形成されている構成としても良い。
【０１１５】
上記の構成によれば、端子と注液孔とを、幅方向により近づけて配置することができる。そのため、電池の幅をより狭くすることができる。
【０１１６】
第１方向と反対方向における端部に、第１部材または第２部材を厚さ方向に貫通する注液孔が形成されている構成としても良い。
【０１１７】
上記の構成によれば、端子と注液孔とを、幅方向により近づけて配置することができる。そのため、電池の幅をより狭くすることができる。
【符号の説明】
【０１１８】
１〜７  非水電解質二次電池、１０，３０，５０，６０，７０  外装缶、１１  第１部材、１２  第２部材、１３  封止栓、１４  負極端子、１４１  ガスケット、１４２，４４２  絶縁板、１４３  押さえ板、１５，２５，５５  電極体、１５１  負極リードタブ、１５２  正極リードタブ、１６１  上部絶縁部材、１６２  下部絶縁部材
【図１】
2016035828.tif 000003
【図２】
2016035828.tif 000004
【図３】
2016035828.tif 000005
【図４】
2016035828.tif 000006
【図５】
2016035828.tif 000007
【図６】
2016035828.tif 000008
【図７】
2016035828.tif 000009
【図８】
2016035828.tif 000010
【図９】
2016035828.tif 000011
【図１０】
2016035828.tif 000012
【図１１】
2016035828.tif 000013
【図１２】
2016035828.tif 000014
【図１３】
2016035828.tif 000015
【図１４】
2016035828.tif 000016
【図１５】
2016035828.tif 000017
【図１６】
2016035828.tif 000018
【図１７】
2016035828.tif 000019
【図１８】
2016035828.tif 000020
【図１９】
2016035828.tif 000021
【図２０】
2016035828.tif 000022
【図２１】
2016035828.tif 000023
【図２２】
2016035828.tif 000024
【図２３】
2016035828.tif 000025
【図２４】
2016035828.tif 000026